(57)【要約】【課題】情報処理装置から画像形成装置への転送データ量を減縮して文書複製速度を向上させたプリントシステム、プリント方法、またはコンピュータプログラムを提供する。【解決手段】文書ファイルを処理する情報処理装置１１０と、情報処理装置１１０から送信された文書ファイルに基づいて文書複製を行なう画像形成装置１２０とを備える。情報処理装置１１０は、文書ファイルを作成するためのアプリケーションプログラム１１１、ハードウエアとソフトウエアを総合的に管理するオペレーティングシステム１１２、情報処理装置１１０として画像形成装置１２０を制御するためのプリンタドライバ１１３を連係して機能させる。画像形成装置１２０は、描画処理部１２１、画像データ処理部１２２、ページバッファ１２３、プリンタエンジン１２４、原画としての画像データを登録画像データＤＡＴｍとして予め登録する画像データ登録部１２９を連係して機能させる。【選択図】図１
2009116405.tif 000002
【特許請求の範囲】
【請求項１】
ネットワークに接続され画像データおよび文字データを含む文書ファイルを処理する情報処理装置と、前記ネットワークを介して前記情報処理装置から送信された文書ファイルに基づいて文書複製を行なう画像形成装置とを備えるプリントシステムであって、
前記画像形成装置は、
画像データを登録画像データとして予め登録する画像データ登録部を備え、
前記情報処理装置は、
前記画像データ登録部に登録され文書ファイルに含まれる登録画像データを特定して前記画像形成装置で画像複製を行なうときの画像複製条件を示す特定画像複製条件情報を生成する特定画像複製条件情報生成手段と、
登録画像データを除いた文書ファイルをページ記述言語に変換して変換文書データを生成する変換文書データ生成手段とを備え、
前記画像形成装置はさらに、
前記情報処理装置から送信された前記特定画像複製条件情報に基づいて前記画像データ登録部から前記情報処理装置で特定された登録画像データを抽出する登録画像データ抽出手段と、
抽出された登録画像データを前記特定画像複製条件情報に基づいてページ記述言語に変換した変換画像データを生成する変換画像データ生成手段と、
前記変換画像データと前記情報処理装置から送信された変換文書データとを合成して文書複製用合成データを生成する文書複製用合成データ生成手段と
を備えることを特徴とするプリントシステム。
【請求項２】
請求項１に記載のプリントシステムであって、
前記特定画像複製条件情報は、
画像データを一意に識別する画像データ識別情報と、
前記情報処理装置で画像データに対して行なった編集の内容を示す画像編集情報と、
文書ファイルでの画像データの配置を示す画像配置情報と、
画像複製される画像の属性を示す画像属性情報と
を含むことを特徴とするプリントシステム。
【請求項３】
請求項１または請求項２に記載のプリントシステムであって、
前記情報処理装置は、変換文書データを前記画像形成装置へ送信する前に、前記特定画像複製条件情報を前記画像形成装置へ送信し、
前記画像形成装置は、変換文書データを前記情報処理装置から受信する前に、受信した特定画像複製条件情報に基づいて抽出した登録画像データのページ記述言語への変換を開始する構成としてあること
を特徴とするプリントシステム。
【請求項４】
請求項１ないし請求項３のいずれか一つに記載のプリントシステムであって、
前記画像データ登録部は、
画像データを原画としての登録画像データとして登録する原画データ登録手段と、
登録画像データのデータサイズを縮小した閲覧用登録画像データを生成して登録する閲覧画データ生成登録手段と
を備えることを特徴とするプリントシステム。
【請求項５】
請求項４に記載のプリントシステムであって、
前記情報処理装置から前記ネットワークに接続された他の情報処理装置へ文書ファイルが配布される場合に、閲覧用登録画像データを適用した画像データの文書ファイルへの保存が許容される構成としてあること
を特徴とするプリントシステム。
【請求項６】
ネットワークに接続され画像データおよび文字データを含む文書ファイルを処理する情報処理装置と、前記ネットワークを介して前記情報処理装置から送信された文書ファイルに基づいて文書複製を行なう画像形成装置とを備えるプリントシステムを用いたプリント方法であって、
前記画像形成装置の画像データ登録部へ画像データを登録画像データとして予め登録する画像データ登録ステップと、
前記画像データ登録部に登録され文書ファイルに含まれる登録画像データを特定して前記画像形成装置で画像複製を行なうときの画像複製条件を示す特定画像複製条件情報を生成するステップを前記情報処理装置で実行する特定画像複製条件情報生成ステップと、
登録画像データを除いた文書ファイルをページ記述言語に変換して変換文書データを生成する変換文書データ生成ステップと、
前記情報処理装置から送信された前記特定画像複製条件情報に基づいて前記画像データ登録部から前記情報処理装置で特定された登録画像データを抽出するステップを前記画像形成装置で実行する登録画像データ抽出ステップと、
抽出された登録画像データを前記特定画像複製条件情報に基づいてページ記述言語に変換した変換画像データを生成する前記画像形成装置での変換画像データ生成ステップと、
前記変換画像データと前記情報処理装置から送信された変換文書データとを合成して文書複製用合成データを生成するステップを前記画像形成装置で実行する文書複製用合成データ生成ステップと
を備えることを特徴とするプリントシステムを用いたプリント方法。
【請求項７】
ネットワークに接続され画像データおよび文字データを含む文書ファイルを処理する情報処理装置と、前記ネットワークを介して前記情報処理装置から送信された文書ファイルに基づいて文書複製を行なう画像形成装置とを備えるプリントシステムを用いた文書複製をコンピュータに実行させるコンピュータプログラムであって、
コンピュータに、前記画像形成装置の画像データ登録部へ画像データを登録画像データとして予め登録する画像データ登録ステップを実行させ、
コンピュータに、前記画像データ登録部に登録され文書ファイルに含まれる登録画像データを特定して前記画像形成装置で画像複製を行なうときの画像複製条件を示す特定画像複製条件情報を生成するステップを前記情報処理装置で実行する特定画像複製条件情報生成ステップを実行させ、
コンピュータに、登録画像データを除いた文書ファイルをページ記述言語に変換して変換文書データを生成する変換文書データ生成ステップを実行させ、
コンピュータに、前記情報処理装置から送信された前記特定画像複製条件情報に基づいて前記画像データ登録部から前記情報処理装置で特定された登録画像データを抽出するステップを前記画像形成装置で実行する登録画像データ抽出ステップを実行させ、
コンピュータに、抽出された登録画像データを前記特定画像複製条件情報に基づいてページ記述言語に変換した変換画像データを生成する前記画像形成装置での変換画像データ生成ステップを実行させ、
コンピュータに、前記変換画像データと前記情報処理装置から送信された前記変換文書データとを合成して文書複製用合成データを生成するステップを前記画像形成装置で実行する文書複製用合成データ生成ステップを実行させること
を特徴とするコンピュータプログラム。
【発明の詳細な説明】
【技術分野】
【０００１】
本発明は、文書ファイルを処理する情報処理装置およびネットワークを介して情報処理装置から送信された文書ファイルに基づいて文書複製を行なう画像形成装置を有するプリントシステム、このようなプリントシステムを用いたプリント方法、およびコンピュータプログラムに関する。
【背景技術】
【０００２】
情報処理装置（例えばパーソナルコンピュータなど）と画像形成装置（例えばプリンタなどの画像形成装置）を備える従来のプリントシステムでは、画像形成装置で出力する文書ファイル（画像データ）の生成を、画像形成装置側で行なう場合と情報処理装置で行なう場合がある。
【０００３】
画像形成装置側において画像データを生成する場合には、ページ記述言語などの描画を指示する描画コマンドを情報処理装置から画像形成装置へ転送し、この描画コマンドを画像形成装置で解釈し、実際の描画処理を行って記録出力する。
【０００４】
情報処理装置側で画像データの生成を行なう場合には、描画コマンドに対する描画処理は情報処理装置側ですべて行なわれ、記録可能なデータあるいは中間データが画像形成装置に転送される。この場合、画像形成装置には高度な描画処理の性能は要求されない。
【０００５】
画像データの生成を情報処理装置側で行なうのか画像形成装置側で行なうのかは、画像形成装置を接続し、あるいは画像形成装置のドライバをインストールした時点で決定される。
【０００６】
近年、デジタルカメラなどの普及により、文書ファイルに使用される画像データの解像度や画素数が増加しており、文書ファイル（画像データ）のデータサイズが大きくなってきている。
【０００７】
つまり、文書ファイルに高解像度もしくは高画素数の画像ファイルが含まれている場合、文書複製する文書ファイルのサイズが大きくなる傾向にあり、情報処理装置から画像形成装置への文書ファイル（文書ファイルに対する文書複製を実行するための文書複製データ。つまり、印刷データ。）の伝送時間が印刷時間（文書複製時間）のほとんどを占める場合が生じている。
【０００８】
このような背景から、情報処理装置と画像形成装置との間で、文書複製データ（種類やサイズにより分けた描画コマンドの処理）の処理負荷を分散し、情報処理装置と画像形成装置それぞれでページ記述言語生成を分担実行して合成する方法が提案されている（例えば、特許文献１参照。）。
【０００９】
つまり、画像形成装置側で処理を行なった方が好ましい描画コマンドについては、描画コマンド自体が画像形成装置に送られてくるので、転送データ量の増大も抑えることができ、プリントシステムとして高速化することが可能となっている。
【００１０】
すなわち、特許文献１には「情報処理装置とプリンタ（画像形成装置）との間で、印刷データ（種類やサイズにより分けた描画コマンドの処理）の処理負荷を分散し、それぞれでページ記述言語生成を行なって合成する」ことが開示してある。
【００１１】
しかし、特許文献１に記載のような方法によっても、画像データそのものはネットワークを通じて送信することになることから、画像サイズや画像の解像度の増加に伴って、印刷時間（文書複製時間）が増加するという問題があった。
【００１２】
また、文書ファイルに含まれる画像データに少しの変更を加えただけであっても、再度画像データを、ネットワークを通じて送信することが必要になることから、印刷時間がさらに必要となるという問題があった。
【特許文献１】特開２００１−１０９５９８号公報
【発明の開示】
【発明が解決しようとする課題】
【００１３】
本発明は、上述した事情に鑑みてなされたもので、画像データを含む文書ファイルについて文書複製（例えば印刷）する場合に、画像形成装置に予め登録した画像データ（登録画像データ）を使用することにより、文書複製を実行するときの情報処理装置から画像形成装置への転送データ量を容易かつ確実に減縮して文書複製速度を向上させたプリントシステム、プリント方法、またはコンピュータプログラムを提供することを目的とするものである。
【課題を解決するための手段】
【００１４】
本発明に係るプリントシステムは、ネットワークに接続され画像データおよび文字データを含む文書ファイルを処理する情報処理装置と、前記ネットワークを介して前記情報処理装置から送信された文書ファイルに基づいて文書複製を行なう画像形成装置とを備えるプリントシステムであって、前記画像形成装置は、画像データを登録画像データとして予め登録する画像データ登録部を備え、前記情報処理装置は、前記画像データ登録部に登録され文書ファイルに含まれる登録画像データを特定して前記画像形成装置で画像複製を行なうときの画像複製条件を示す特定画像複製条件情報を生成する特定画像複製条件情報生成手段と、登録画像データを除いた文書ファイルをページ記述言語に変換して変換文書データを生成する変換文書データ生成手段とを備え、前記画像形成装置はさらに、前記情報処理装置から送信された前記特定画像複製条件情報に基づいて前記画像データ登録部から前記情報処理装置で特定された登録画像データを抽出する登録画像データ抽出手段と、抽出された登録画像データを前記特定画像複製条件情報に基づいてページ記述言語に変換した変換画像データを生成する変換画像データ生成手段と、前記変換画像データと前記情報処理装置から送信された変換文書データとを合成して文書複製用合成データを生成する文書複製用合成データ生成手段とを備えることを特徴とする。
【００１５】
この構成により、文書ファイルに含まれる画像データを予め画像形成装置に登録しておくことができるので、データサイズの大きい画像データを情報処理装置から画像形成装置にネットワークを介して送信する必要がなくなり、文書複製を実行するときの転送データ量を容易かつ確実に減縮して文書複製速度を向上させることが可能となる。
【００１６】
本発明に係るプリントシステムでは、前記特定画像複製条件情報は、画像データを一意に識別する画像データ識別情報と、前記情報処理装置で画像データに対して行なった編集の内容を示す画像編集情報と、文書ファイルでの画像データの配置を示す画像配置情報と、画像複製される画像の属性を示す画像属性情報とを含むことを特徴とする。
【００１７】
この構成により、画像形成装置に登録された登録画像データに対する画像データ識別情報、画像編集情報（画像データの拡大、縮小、回転など）、画像配置情報、および、情報処理装置で設定される画像属性情報（解像度、色変換方法など）を特定画像複製条件情報として情報処理装置から画像形成装置へ送信することができるので、画像形成装置で画像複製を行なう場合に、登録画像データを適切な形のページ記述言語（変換画像データ）に変換することができる。つまり、登録された登録画像データに対して文書複製（画像複製）に伴う変更が加えられた場合（例えば、情報処理装置で解像度設定や色変換方法が変更された場合など）でも、画像形成装置で適切な画像複製を実行することが可能となる。
【００１８】
本発明に係るプリントシステムでは、前記情報処理装置は、変換文書データを前記画像形成装置へ送信する前に、前記特定画像複製条件情報を前記画像形成装置へ送信し、前記画像形成装置は、変換文書データを前記情報処理装置から受信する前に、受信した特定画像複製条件情報に基づいて抽出した登録画像データのページ記述言語への変換を開始する構成としてあることを特徴とする。
【００１９】
この構成により、情報処理装置と画像形成装置で分散して文書ファイルに対するページ記述言語への変換を行なうことが可能となるので、文書複製速度を向上させることができる。
【００２０】
本発明に係るプリントシステムでは、前記画像データ登録部は、画像データを原画としての登録画像データとして登録する原画データ登録手段と、登録画像データのデータサイズを縮小した閲覧用登録画像データを生成して登録する閲覧画データ生成登録手段とを備えることを特徴とする。
【００２１】
この構成により、情報処理装置で画像データを表示する場合、画像形成装置に登録された原画としての登録画像データをそのままで使用せずに、データサイズを縮小した閲覧用登録画像データを使用することが可能となるので、情報処理装置での文書ファイルの作成、閲覧、編集、表示に伴う画像描画、画像表示を容易かつ円滑に行なうことができる。
【００２２】
本発明に係るプリントシステムでは、前記情報処理装置から前記ネットワークに接続された他の情報処理装置へ文書ファイルが配布される場合に、閲覧用登録画像データを適用した画像データの文書ファイルへの保存が許容される構成としてあることを特徴とする。
【００２３】
この構成により、画像形成装置に登録された画像データを含む文書ファイルを他のユーザに配布する場合には、閲覧用登録画像データを適用して文書ファイルを保存することが可能となることから、文書ファイルのデータサイズを縮小することができる。また、文書ファイルを受け取ったユーザが文書複製を実行する場合には、画像形成装置に登録された原画としての登録画像データを使用することが可能となることから、原画としての登録画像データを使用した精細な文書複製を実行することができる。
【００２４】
本発明に係るプリント方法は、ネットワークに接続され画像データおよび文字データを含む文書ファイルを処理する情報処理装置と、前記ネットワークを介して前記情報処理装置から送信された文書ファイルに基づいて文書複製を行なう画像形成装置とを備えるプリントシステムを用いたプリント方法であって、前記画像形成装置の画像データ登録部へ画像データを登録画像データとして予め登録する画像データ登録ステップと、前記画像データ登録部に登録され文書ファイルに含まれる登録画像データを特定して前記画像形成装置で画像複製を行なうときの画像複製条件を示す特定画像複製条件情報を生成するステップを前記情報処理装置で実行する特定画像複製条件情報生成ステップと、登録画像データを除いた文書ファイルをページ記述言語に変換して変換文書データを生成する変換文書データ生成ステップと、前記情報処理装置から送信された前記特定画像複製条件情報に基づいて前記画像データ登録部から前記情報処理装置で特定された登録画像データを抽出するステップを前記画像形成装置で実行する登録画像データ抽出ステップと、抽出された登録画像データを前記特定画像複製条件情報に基づいてページ記述言語に変換した変換画像データを生成する前記画像形成装置での変換画像データ生成ステップと、前記変換画像データと前記情報処理装置から送信された変換文書データとを合成して文書複製用合成データを生成するステップを前記画像形成装置で実行する文書複製用合成データ生成ステップとを備えることを特徴とする。
【００２５】
この構成により、本発明に係るプリントシステムと同様の作用効果が得られる。
【００２６】
本発明に係る文書複製コンピュータプログラムは、ネットワークに接続され画像データおよび文字データを含む文書ファイルを処理する情報処理装置と、前記ネットワークを介して前記情報処理装置から送信された文書ファイルに基づいて文書複製を行なう画像形成装置とを備えるプリントシステムを用いた文書複製をコンピュータに実行させるコンピュータプログラムであって、コンピュータに、前記画像形成装置の画像データ登録部へ画像データを登録画像データとして予め登録する画像データ登録ステップを実行させ、コンピュータに、前記画像データ登録部に登録され文書ファイルに含まれる登録画像データを特定して前記画像形成装置で画像複製を行なうときの画像複製条件を示す特定画像複製条件情報を生成するステップを前記情報処理装置で実行する特定画像複製条件情報生成ステップを実行させ、コンピュータに、登録画像データを除いた文書ファイルをページ記述言語に変換して変換文書データを生成する変換文書データ生成ステップを実行させ、コンピュータに、前記情報処理装置から送信された前記特定画像複製条件情報に基づいて前記画像データ登録部から前記情報処理装置で特定された登録画像データを抽出するステップを前記画像形成装置で実行する登録画像データ抽出ステップを実行させ、コンピュータに、抽出された登録画像データを前記特定画像複製条件情報に基づいてページ記述言語に変換した変換画像データを生成する前記画像形成装置での変換画像データ生成ステップを実行させ、コンピュータに、前記変換画像データと前記情報処理装置から送信された前記変換文書データとを合成して文書複製用合成データを生成するステップを前記画像形成装置で実行する文書複製用合成データ生成ステップを実行させることを特徴とする。
【００２７】
この構成により、本発明に係るプリントシステムと同様の作用効果を得られる。
【発明の効果】
【００２８】
本発明に係るプリントシステム、プリント方法、またはコンピュータプログラムによれば、画像形成装置は、画像データを登録画像データとして予め登録する画像データ登録部を備え、情報処理装置は、画像データ登録部に登録され文書ファイルに含まれる登録画像データを特定して画像形成装置で画像複製を行なうときの画像複製条件を示す特定画像複製条件情報を生成する特定画像複製条件情報生成手段と、登録画像データを除いた文書ファイルをページ記述言語に変換して変換文書データを生成する変換文書データ生成手段とを備え、画像形成装置はさらに、情報処理装置から送信された特定画像複製条件情報に基づいて画像データ登録部から情報処理装置で特定された登録画像データを抽出する登録画像データ抽出手段と、抽出された登録画像データを特定画像複製条件情報に基づいてページ記述言語に変換した変換画像データを生成する変換画像データ生成手段と、変換画像データと情報処理装置から送信された変換文書データとを合成して文書複製用合成データを生成する文書複製用合成データ生成手段とを備えることから、文書ファイルに含まれる画像データを予め画像形成装置（例えば複合型プリンタ）に登録しておくことができるので、データサイズの大きい画像データを情報処理装置（例えばパーソナルコンピュータ）から画像形成装置にネットワークを介して送信する必要がなくなり、文書複製を実行するときの転送データ量を容易かつ確実に減縮して文書複製速度を向上させることが可能となるという効果を奏する。
【００２９】
つまり、文書複製の対象としての文書ファイルに対するページ記述言語への変換を情報処理装置と画像形成装置で並列処理することが可能となり、より高速な文書複製速度（印刷スピード）を実現することが可能となるという効果を奏する。
【発明を実施するための最良の形態】
【００３０】
以下、本発明の実施の形態を図面に基づいて説明する。
【００３１】
図１は、本発明の実施の形態に係るプリントシステムの概略構成を示す構成ブロック図である。
【００３２】
本実施の形態に係るプリントシステムは、ネットワークＮＷに接続され画像データおよび文字データを含む文書ファイルを処理する情報処理装置１１０と、ネットワークＮＷを介して情報処理装置１１０から送信された文書ファイル（文書ファイルデータ）に基づいて文書複製を行なう画像形成装置１２０とを備える。ネットワークＮＷは、例えばＬＡＮ（Ｌｏｃａｌ  Ａｒｅａ  Ｎｅｔｏｗｏｒｋ）で構成してある。
【００３３】
情報処理装置１１０は、例えばパーソナルコンピュータＰＣ（Ｐｅｒｓｏｎａｌ  Ｃｏｍｐｕｔｅｒ）として構成してあり、図示しないＣＰＵ（Ｃｅｎｔｒａｌ  Ｐｒｏｃｅｓｓｉｎｇ  Ｕｎｉｔ：中央処理装置）によって、アプリケーションプログラム１１１、オペレーティングシステム１１２、プリンタドライバ１１３を相互に連係して機能させる。
【００３４】
つまり、情報処理装置１１０は、入力されたデータを加工処理して画像データおよび文字データを含む文書ファイルを作成するためのソフトウエアであるアプリケーションプログラム１１１と、ハードウエアとソフトウエアを総合的に管理するソフトウエアであるオペレーティングシステム（Ｏｐｅｒａｔｉｎｇ  Ｓｙｓｔｅｍ：ＯＳ）１１２と、情報処理装置１１０として画像形成装置１２０を制御するためのプログラムであるプリンタドライバ１１３とを備える。
【００３５】
また、情報処理装置１１０を機能させるコンピュータプログラムが図示しないプログラムメモリに予めインストールしてあり、コンピュータプログラムによって、情報処理装置１１０（プリントシステム）としての動作を実現し、また、対応するプリント方法を実現する。
【００３６】
画像形成装置１２０は、例えば複合型プリンタＭＦＰ（Ｍｕｌｔｉ  Ｆｕｎｃｔｉｏｎ  Ｐｒｉｎｔｅｒ）として構成してあり、図示しないＣＰＵ（Ｃｅｎｔｒａｌ  Ｐｒｏｃｅｓｓｉｎｇ  Ｕｎｉｔ：中央処理装置）によって、描画処理部１２１、画像データ処理部１２２、ページバッファ１２３、プリンタエンジン１２４、画像データ登録部１２９を相互に連係して機能させる。
【００３７】
つまり、画像形成装置１２０は、原画としての画像データを登録画像データＤＡＴｍとして予め登録する画像データ登録部１２９を備える。画像データ登録部１２９は、適宜のメモリで構成してある。
【００３８】
また、画像形成装置１２０を機能させるコンピュータプログラムが図示しないプログラムメモリに予めインストールしてあり、コンピュータプログラムによって、画像形成装置１２０（プリントシステム）としての動作を実現し、また、対応するプリント方法を実現する。
【００３９】
プリンタドライバ１１３の基本的な機能は、オペレーティングシステム１１２からの描画コマンドを画像形成装置１２０に応じた形式で画像形成装置１２０へ伝送することである。
【００４０】
本実施の形態に係るプリンタドライバ１１３（情報処理装置１１０）は、画像データ登録部１２９に登録され文書ファイルに含まれる登録画像データＤＡＴｍを特定して画像形成装置１２０で画像複製を行なうときの画像複製条件を示す特定画像複製条件情報ＩＮＦ（図２参照）を生成する特定画像複製条件情報生成手段１１３ｇと、登録画像データＤＡＴｍを除いた文書ファイルをページ記述言語ＰＤＬ（Ｐａｇｅ  Ｄｅｓｃｒｉｐｔｉｏｎ  Ｌａｎｇｕａｇｅ：ページ記述言語。つまり、プリンタなどの画像形成装置を用いて文字や図形などを印刷するための画像形成装置制御言語（プリンタ制御言語）。）に変換して変換文書データＰＤＬｆを生成する変換文書データ生成手段１１３ｆとを備える。
【００４１】
なお、特定画像複製条件情報ＩＮＦおよび変換文書データＰＤＬｆは、ネットワークＮＷを介して情報処理装置１１０から画像形成装置１２０へ送信されるが、図では、破線で情報／データの流れを示す。変換文書データＰＤＬｆは、描画処理部１２１で受信され、特定画像複製条件情報ＩＮＦは、画像データ処理部１２２で受信される。
【００４２】
つまり、画像形成装置１２０は、情報処理装置１１０から送られてくるページ記述言語ＰＤＬあるいは中間データを受け取り、文書複製の対象としての文書ファイルを例えば用紙などの被記録媒体上に出力して文書複製を実行する。
【００４３】
描画処理部１２１は、情報処理装置１１０から送られてくるＰＤＬで記述された描画コマンドを受け取り、その描画コマンドについての描画処理を行ってページバッファ１２３に伝送する。また、本実施の形態に係る描画処理部１２１は、変換文書データＰＤＬｆをそのままページバッファ１２３へ伝送する。
【００４４】
画像データ処理部１２２は、登録画像データ抽出手段１２２ｓおよび変換画像データ生成手段１２２ｔを備える。
【００４５】
登録画像データ抽出手段１２２ｓは、情報処理装置１１０から送信された特定画像複製条件情報ＩＮＦに基づいて画像データ登録部１２９から情報処理装置１１０で特定された登録画像データＤＡＴｍを抽出する。
【００４６】
変換画像データ生成手段１２２ｔは、登録画像データ抽出手段１２２ｓによって抽出された登録画像データＤＡＴｍを特定画像複製条件情報ＩＮＦに基づいてページ記述言語ＰＤＬに変換した変換画像データＰＤＬｔを生成し、変換画像データＰＤＬｔをページバッファ１２３へ伝送する。
【００４７】
本実施の形態に係るページバッファ１２３は、文書複製用合成データ生成手段１２３ｃを備える。文書複製用合成データ生成手段１２３ｃは、変換画像データＰＤＬｔと情報処理装置１１０から送信された変換文書データＰＤＬｆとを合成してページ記述言語ＰＤＬとしての文書複製用合成データＰＤＬｃを生成する。つまり、ページバッファ１２３には、描画処理部１２１および画像データ処理部１２２からプリント出力する１頁分の文書ファイルが書き込まれる。
【００４８】
ページバッファ１２３は、合成した文書複製用合成データＰＤＬｃをプリンタエンジン１２４へ伝送する。プリンタエンジン１２４は、ページバッファ１２３によって合成された文書ファイルに対する文書複製を実行し、被記録媒体上に出力する。
【００４９】
本実施の形態に係るプリントシステムは、文書ファイルに含まれる画像データを予め画像形成装置１２０（例えば複合型プリンタ）に設けた画像データ登録部１２９に予め登録しておくことから、データサイズの大きい画像データを情報処理装置１１０から画像形成装置１２０にネットワークＮＷを介して送信する必要がなくなるので文書複製速度を向上させることが可能となる。
【００５０】
なお、本実施の形態に係る特定画像複製条件情報生成手段１１３ｇ、変換文書データ生成手段１１３ｆ、登録画像データ抽出手段１２２ｓ、変換画像データ生成手段１２２ｔ、文書複製用合成データ生成手段１２３ｃは、ＣＰＵを含むハードウエアおよびコンピュータプログラムによって適宜実現することが可能である。
【００５１】
画像データ登録部１２９は、画像データを原画としての登録画像データＤＡＴｍとして予め登録する原画データ登録手段１２９ｍに加え、登録画像データＤＡＴｍのデータサイズを縮小した閲覧用登録画像データＤＡＴｓを生成して登録する閲覧画データ生成登録手段１２９ｓを備える。
【００５２】
したがって、情報処理装置１１０で画像データを表示する場合、画像形成装置１２０に登録された原画としての登録画像データＤＡＴｍをそのままで使用せずに、データサイズを縮小した閲覧用登録画像データＤＡＴｓを使用することが可能となるので、情報処理装置１１０での文書ファイルの作成、閲覧、編集、表示に伴う画像描画、画像表示を容易かつ円滑に行なうことができる。
【００５３】
つまり、画像データ登録部１２９は、原画データ登録手段１２９ｍによって蓄積される登録画像データＤＡＴｍ、閲覧画データ生成登録手段１２９ｓによって蓄積される閲覧用登録画像データＤＡＴｓを蓄積して構成する画像データベースＤＡＴを構築する。
【００５４】
なお、本実施の形態に係る原画データ登録手段１２９ｍ、閲覧画データ生成登録手段１２９ｓは、ＣＰＵを含むハードウエア、適宜の記憶装置およびコンピュータプログラムによって適宜実現することが可能である。
【００５５】
本実施の形態に係るプリントシステムは、プリント方法として把握することが可能である（詳細については、図２ないし図５でさらに説明する。）。つまり、本実施の形態に係るプリント方法は、ネットワークＮＷに接続され画像データおよび文字データを含む文書ファイルを処理する情報処理装置１１０と、ネットワークＮＷを介して情報処理装置１１０から送信された文書ファイルに基づいて文書複製を行なう画像形成装置１２０とを備えるプリントシステムを用いたプリント方法である。
【００５６】
また、本実施の形態に係るプリント方法は、画像形成装置１２０の画像データ登録部１２９へ画像データを登録画像データＤＡＴｍとして予め登録する画像データ登録ステップと、画像データ登録部１２９に登録され文書ファイルに含まれる登録画像データＤＡＴｍを特定して画像形成装置１２０で画像複製を行なうときの画像複製条件を示す特定画像複製条件情報ＩＮＦを生成するステップを情報処理装置１１０で実行する特定画像複製条件情報生成ステップと、登録画像データＤＡＴｍを除いた文書ファイルをページ記述言語ＰＤＬに変換して変換文書データＰＤＬｆを生成する変換文書データ生成ステップと、情報処理装置１１０から送信された特定画像複製条件情報ＩＮＦに基づいて画像データ登録部１２９から情報処理装置１１０で特定された登録画像データＤＡＴｍを抽出するステップを画像形成装置１２０で実行する登録画像データ抽出ステップと、抽出された登録画像データＤＡＴｍを特定画像複製条件情報ＩＮＦに基づいてページ記述言語ＰＤＬに変換した変換画像データＰＤＬｔを生成する画像形成装置１２０での変換画像データ生成ステップと、変換画像データＰＤＬｔと情報処理装置１１０から送信された変換文書データＰＤＬｆとを合成して文書複製用合成データＰＤＬｃを生成するステップを画像形成装置１２０で実行する文書複製用合成データ生成ステップとを備える。
【００５７】
本実施の形態に係るプリント方法は、コンピュータプログラムとして把握することが可能である（詳細については、図２ないし図５でさらに説明する。）。つまり、本実施の形態に係るコンピュータプログラムは、ネットワークＮＷに接続され画像データおよび文字データを含む文書ファイルを処理する情報処理装置１１０と、ネットワークＮＷを介して情報処理装置１１０から送信された文書ファイルに基づいて文書複製を行なう画像形成装置１２０とを備えるプリントシステムを用いた文書複製をコンピュータに実行させるコンピュータプログラムである。
【００５８】
また、本実施の形態に係るコンピュータプログラムは、コンピュータに、画像形成装置１２０の画像データ登録部１２９へ画像データを登録画像データＤＡＴｍとして予め登録する画像データ登録ステップを実行させ、コンピュータに、画像データ登録部１２９に登録され文書ファイルに含まれる登録画像データＤＡＴｍを特定して画像形成装置１２０で画像複製を行なうときの画像複製条件を示す特定画像複製条件情報ＩＮＦを生成するステップを情報処理装置１１０で実行する特定画像複製条件情報生成ステップを実行させ、コンピュータに、登録画像データＤＡＴｍを除いた文書ファイルをページ記述言語ＰＤＬに変換して変換文書データＰＤＬｆを生成する変換文書データ生成ステップを実行させ、コンピュータに、情報処理装置１１０から送信された特定画像複製条件情報ＩＮＦに基づいて画像データ登録部１２９から情報処理装置１１０で特定された登録画像データＤＡＴｍを抽出するステップを画像形成装置１２０で実行する登録画像データ抽出ステップを実行させ、コンピュータに、抽出された登録画像データＤＡＴｍを特定画像複製条件情報ＩＮＦに基づいてページ記述言語ＰＤＬに変換した変換画像データＰＤＬｔを生成する画像形成装置１２０での変換画像データ生成ステップを実行させ、コンピュータに、変換画像データＰＤＬｔと情報処理装置１１０から送信された変換文書データＰＤＬｆとを合成して文書複製用合成データＰＤＬｃを生成するステップを画像形成装置１２０で実行する文書複製用合成データ生成ステップを実行させる。
【００５９】
図２は、本発明の実施の形態に係るプリントシステムで情報処理装置から画像形成装置へ送信される特定画像複製条件情報の構成例を示す情報構成図表である。
【００６０】
特定画像複製条件情報ＩＮＦは、上述したとおり画像形成装置１２０で画像複製を行なうときの画像複製条件を示す情報である。特定画像複製条件情報ＩＮＦは、画像データを一意に識別する画像データ識別情報ＩＮＦ１と、情報処理装置１１０で画像データに対して行なった編集の内容を示す画像編集情報ＩＮＦ２と、文書ファイルでの画像データの配置を示す画像配置情報ＩＮＦ３と、画像複製される画像の属性を示す画像属性情報ＩＮＦ４とを含む構成としてある。
【００６１】
したがって、画像形成装置１２０に登録された登録画像データＤＡＴｍに対する画像データ識別情報ＩＮＦ１、画像編集情報ＩＮＦ２（画像データの拡大、縮小、回転など）、画像配置情報ＩＮＦ３、および、情報処理装置１１０で設定される画像属性情報ＩＮＦ４（解像度、色変換方法など）を特定画像複製条件情報ＩＮＦとして情報処理装置１１０から画像形成装置１２０へ送信することから、画像形成装置１２０で画像複製を実行する場合に、登録画像データＤＡＴｍを適切な形のページ記述言語ＰＤＬ（変換画像データＰＤＬｔ）に変換することができる。
【００６２】
つまり、登録された登録画像データＤＡＴｍに対して情報処理装置１１０で変更が加えられた場合、例えば解像度設定や色変換方法が変更された場合などでも、画像形成装置１２０で適切な文書複製処理が施される。
【００６３】
画像データ識別情報ＩＮＦ１は、例えば「ＩＤ  ００００００１」のような形態で規定される画像ＩＤであり、画像データ登録部２０９に登録されている画像データを一意に特定するＩＤ番号（ＩＤｅｎｔｉｆｉｃａｔｉｏｎ  ｎｕｍｂｅｒ：識別番号）である。
【００６４】
画像編集情報ＩＮＦ２は、アプリケーションプログラム１１１で登録画像データに対して行なわれた画像処理の内容（拡大、縮小、切り取り、回転などの処理状態）を格納する。文書ファイルに含まれる画像データ（登録画像データＤＡＴｍ）に対して変更（画像処理）が加えられた場合でも、画像編集情報ＩＮＦ２に基づいて画像データ登録部１２９に登録された登録画像データＤＡＴｍに同様な変更を施して文書ファイルに含まれる画像データに応じた登録画像データＤＡＴｍの再現を実現することができる。
【００６５】
画像配置情報ＩＮＦ３は、例えば「ＴａｇＩＤ  ０００００１」のような形態で規定されるタグ（識別子）で構成され、情報処理装置１１０から送信される登録画像データ以外の文書ファイル（文字データ、登録されていない画像データ）をページ記述言語ＰＤＬに変換した変換文書データＰＤＬｆに付加される。
【００６６】
変換文書データＰＤＬｆと変換画像データＰＤＬｔをページバッファ１２３（文書複製用合成データ生成手段１２３ｃ）で合成する場合に、ＴａｇＩＤ（画像配置情報ＩＮＦ３）を参照して、画像データ処理部１２２で登録画像データＤＡＴｍ（文書ファイルに含まれる画像データ）に対応させて生成したページ記述言語ＰＤＬ（変換画像データＰＤＬｔ）を挿入する位置を特定する。
【００６７】
画像属性情報ＩＮＦ４は、プリンタドライバ１１３でページ記述言語データ（文書複製用合成データＰＤＬｃ）を生成する際に指定される印刷設定条件を格納する。画像データ処理部１２２では、印刷属性（画像属性情報ＩＮＦ４）に応じて、登録画像データＤＡＴｍを変換画像データＰＤＬｔに変換することができる。
【００６８】
図３は、本発明の実施の形態に係るプリントシステムの情報処理装置での処理のフロー例を示すフローチャートである。
【００６９】
本実施の形態に係るプリントシステム（情報処理装置１１０および画像形成装置１２０）は、ステップＳ３０１ないしステップＳ３０７の処理フローを実行する構成としてある。
【００７０】
ステップＳ３０１：
情報処理装置１１０において、印刷開始ボタン（不図示）が押されると、プリンタドライバ１１３で印刷データ（変換文書データＰＤＬｆ）を生成する過程で、印刷（文書複製）を行なう文書ファイルを検索し、印刷データ（文書ファイルの文書複製データ）の送信先である画像形成装置１２０に含まれる登録済みの登録画像データＤＡＴｍを抽出する。
【００７１】
ステップＳ３０２：
文書ファイルの検索の結果（文書ファイルでの登録画像データＤＡＴｍの抽出結果）から、登録画像データＤＡＴｍが抽出されたか否かを判定する。つまり、登録画像データＤＡＴｍが抽出された場合（ステップＳ３０２：ＹＥＳ）は、ステップＳ３０３へ移行する。登録画像データＤＡＴｍが抽出されなかった場合（ステップＳ３０２：ＮＯ）は、ステップＳ３０７へ移行する。
【００７２】
ステップＳ３０３：
抽出した登録画像データＤＡＴｍに対する特定画像複製条件情報ＩＮＦをプリンタドライバ１１３（特定画像複製条件情報生成手段１１３ｇ）で生成する。すなわち、登録画像データＤＡＴｍの画像複製に必要な情報を予め特定画像複製条件情報ＩＮＦとして文書ファイルとは別に作成しておく。
【００７３】
つまり、本ステップは、情報処理装置１１０（特定画像複製条件情報生成手段１１３ｇ）で実行され、画像データ登録部１２９に登録され文書ファイルに含まれる登録画像データＤＡＴｍを特定して画像形成装置１２０で画像複製を行なうときの画像複製条件を示す特定画像複製条件情報ＩＮＦを生成するステップ（特定画像複製条件情報生成ステップ）となる。
【００７４】
ステップＳ３０４：
特定画像複製条件情報ＩＮＦを画像形成装置１２０に送信する。つまり、特定画像複製条件情報生成手段１１３ｇで生成された特定画像複製条件情報ＩＮＦは、プリンタドライバ１１３から画像形成装置１２０へ送信される。
【００７５】
変換文書データＰＤＬｆを画像形成装置１２０へ送信（ステップＳ３０７）する前に、特定画像複製条件情報ＩＮＦを画像形成装置１２０へ送信することによって、変換文書データＰＤＬｆを受信する前に、画像データ登録部１２９の登録画像データＤＡＴｍを特定し、登録画像データＤＡＴｍをページ記述言語ＰＤＬへ変換（変換画像データＰＤＬｔの生成）することを画像形成装置１２０の画像データ処理部１２２で開始することが可能となる。
【００７６】
つまり、情報処理装置１１０での文書ファイルのページ記述言語ＰＤＬへの変換（変換文書データＰＤＬｆの生成）と画像形成装置１２０での登録画像データＤＡＴｍのページ記述言語ＰＤＬへの変換（変換画像データＰＤＬｔの生成）との並列処理が可能となり画像複製速度を向上させることが可能となる。
【００７７】
また、情報処理装置１１０から画像形成装置１２０にデータサイズの大きい画像データを送信する必要がなくなり、情報処理装置１１０から画像形成装置１２０へのデータ（文書ファイル）の伝送時間を短縮することができる。
【００７８】
ステップＳ３０５：
文書ファイル中の登録画像データＤＡＴｍを画像配置情報ＩＮＦ３（ＴａｇＩＤ）に置き換える。画像形成装置１２０のページバッファ１２３（文書複製用合成データ生成手段１２３ｃ）で変換文書データＰＤＬｆと変換画像データＰＤＬｔとを合成するばあいには、置換されて変換文書データＰＤＬｆに含まれる画像配置情報ＩＮＦ３（ＴａｇＩＤ）を参照して登録画像データＤＡＴｍに対応する変換画像データＰＤＬｔの挿入位置を特定することとなる。
【００７９】
ステップＳ３０６：
未処理の登録画像データＤＡＴｍが無いことを判定する。未処理の登録画像データＤＡＴｍが無い場合、すなわち、ステップＳ３０２で抽出した登録画像データＤＡＴｍの全件に対する処理が終了した場合（ステップＳ３０６：ＮＯ）は、ステップＳ３０７へ移行する。未処理の登録画像データＤＡＴｍがある場合（ステップＳ３０６：ＹＥＳ）は、ステップＳ３０３へ戻る。
【００８０】
したがって、抽出した登録画像データＤＡＴｍの全件に対してステップＳ３０３ないしステップＳ３０５の処理が終了した場合は、文書ファイル内の登録画像データＤＡＴｍは対応する画像配置情報ＩＮＦ３（ＴａｇＩＤ）に置き換えられる。
【００８１】
ステップＳ３０７：
登録画像データＤＡＴｍを除いた文書ファイルをページ記述言語ＰＤＬに変換して生成した変換文書データＰＤＬｆをプリンタドライバ１１３（変換文書データ生成手段１１３ｆ）から画像形成装置１２０へ送信する。つまり、登録画像データＤＡＴｍから画像配置情報ＩＮＦ３（ＴａｇＩＤ）への置き換えが行なわれた文書ファイルをページ記述言語ＰＤＬに変換して生成した変換文書データＰＤＬｆを画像形成装置１２０に送信する。
【００８２】
つまり、本ステップは、情報処理装置１１０（変換文書データ生成手段１１３ｆ）で実行され、登録画像データＤＡＴｍを除いた文書ファイルをページ記述言語ＰＤＬに変換して変換文書データＰＤＬｆを生成するステップ（変換文書データ生成ステップ）を含む。
【００８３】
図４は、本発明の実施の形態に係るプリントシステムの画像形成装置での処理のフロー例を示すフローチャートである。
【００８４】
本実施の形態に係るプリントシステム（情報処理装置１１０および画像形成装置１２０）は、ステップＳ４０１ないしステップＳ４０９の処理フローを実行する構成としてある。
【００８５】
ステップＳ４０１：
画像形成装置１２０は、情報処理装置１１０から送信された情報（変換文書データＰＤＬｆ、特定画像複製条件情報ＩＮＦ）を受信する。
【００８６】
ステップＳ４０２：
画像形成装置１２０は、受信した情報が特定画像複製条件情報ＩＮＦか否かを判定する。受信した情報が、特定画像複製条件情報ＩＮＦである場合（ステップＳ４０２：ＹＥＳ）は、画像データ処理部１２２で受理し、ステップＳ４０３へ移行する。特定画像複製条件情報ＩＮＦで無い場合（ステップＳ４０２：ＮＯ）は、情報は変換文書データＰＤＬｆとして描画処理部１２１で受理し、ステップＳ４０６へ移行する。
【００８７】
ステップＳ４０３：
画像データ処理部１２２で画像データベースＤＡＴから登録画像データＤＡＴｍを抽出する。すなわち、受信データが特定画像複製条件情報ＩＮＦであることから、特定画像複製条件情報ＩＮＦの画像データ識別情報ＩＮＦ１（画像ＩＤ：ＩＤ番号）に基づいて対応する登録画像データＤＡＴｍを特定し、登録画像データ登録部１２９（原画データ登録手段１２９ｍ）から抽出する。
【００８８】
つまり、本ステップは、画像形成装置１２０（登録画像データ抽出手段１２２ｓ）で実行され、情報処理装置１１０から送信された特定画像複製条件情報ＩＮＦに基づいて画像データ登録部１２９から情報処理装置１１０で特定された登録画像データＤＡＴｍを抽出するステップ（登録画像データ抽出ステップ）となる。
【００８９】
ステップＳ４０４：
登録画像データ抽出手段１２２ｓで特定画像複製条件情報ＩＮＦに基づいて抽出した登録画像データＤＡＴｍをページ記述言語ＰＤＬに変換し変換画像データＰＤＬｔを生成する。具体的には、抽出された登録画像データＤＡＴｍに対して、特定画像複製条件情報ＩＮＦに含まれる画像編集情報ＩＮＦ２に基づいて画像データの編集を行ない、また、編集した画像データを画像属性情報ＩＮＦ４に基づいてページ記述言語に変換して変換画像データＰＤＬｔを生成する。
【００９０】
つまり、本ステップは、画像形成装置１２０（変換画像データ生成手段１２２ｔ）で実行され、抽出された登録画像データＤＡＴｍを特定画像複製条件情報ＩＮＦに基づいてページ記述言語ＰＤＬに変換した変換画像データＰＤＬｔを生成するステップ（変換画像データ生成ステップ）となる。
【００９１】
ステップＳ４０５：
画像データ識別情報ＩＮＦ１と生成された変換画像データＰＤＬｔが、変換画像データ生成手段１２２ｔからページバッファ１２３（文書複製用合成データ生成手段１２３ｃ）に伝送される。
【００９２】
ステップＳ４０３ないしステップＳ４０５の処理は、変換文書データＰＤＬｆを情報処理装置１１０から受信する前に、受信した特定画像複製条件情報ＩＮＦに基づいて処理（抽出した登録画像データＤＡＴｍのページ記述言語ＰＤＬへの変換）が開始される。したがって、情報処理装置１１０と画像形成装置１２０で分散してページ記述言語ＰＤＬへの変換を行なうことが可能となるので、文書複製速度を向上させることができる。
【００９３】
ステップＳ４０６：
受信した情報が特定画像複製条件情報ＩＮＦでないとステップＳ４０２で判定された場合には、受信された情報は変換文書データＰＤＬｆとしてそのまま描画処理部１２１からページバッファ１２３へ伝送される。
【００９４】
ステップＳ４０７：
ページバッファ１２３で、画像データ処理部１２２から伝送された変換画像データＰＤＬｔと描画処理部１２１から伝送された変換文書データＰＤＬｆを画像データ処理部１２２から伝送された画像配置情報ＩＮＦ３（ＴａｇＩＤ）に基づいて合成して文書複製用合成データＰＤＬｃを生成する。
【００９５】
つまり、本ステップは、画像形成装置１２０（文書複製用合成データ生成手段１２３ｃ）で実行され、変換画像データＰＤＬｔと情報処理装置１１０から送信された変換文書データＰＤＬｆとを合成して文書複製用合成データＰＤＬｃを生成するステップ（文書複製用合成データ生成ステップ）となる。
【００９６】
合成された文書複製用合成データＰＤＬｃは、最終的な文書複製（印刷）を行なう上で必要なページ記述言語データＰＤＬとして作成される。
【００９７】
ステップＳ４０８：
文書複製のジョブは終了したか否かを判定する。終了している場合（ステップＳ４０８：ＹＥＳ）は、ステップＳ４０９へ移行する。終了していない場合（ステップＳ４０８：ＮＯ）は、ステップＳ４０１へ戻り継続して処理を実行する。
【００９８】
ステップＳ４０９：
ジョブが終了していることから、合成された文書複製用合成データＰＤＬｃをプリンタエンジン１２４へ伝送する。
【００９９】
図５は、本発明の実施の形態に係るプリントシステムの画像形成装置に画像データを登録するときの処理のフロー例を示すフローチャートである。
【０１００】
本実施の形態に係るプリントシステム（情報処理装置１１０および画像形成装置１２０）は、ステップＳ５０１ないしステップＳ５０７の処理フローを実行する構成としてある。
【０１０１】
ステップＳ５０１：
情報処理装置１１０で文書ファイルを検索して文書ファイル中の画像データを抽出する。
【０１０２】
ステップＳ５０２：
抽出した画像データが画像形成装置１２０に登録済みの画像データ（登録画像データＤＡＴｍ）であるか否かを情報処理装置１１０で判定する。登録画像データＤＡＴｍである場合（ステップＳ５０２：ＹＥＳ）は、ステップＳ５０７へ移行する。登録画像データＤＡＴｍで無い場合（ステップＳ５０２：ＮＯ）は、ステップＳ５０３へ移行する。
【０１０３】
ステップＳ５０３：
抽出した画像形成装置１２０は、未登録の画像データであることから、画像形成装置１２０（画像データ登録部１２９）へ画像データを登録するか否かを判定する。なお、判定は、ユーザの意図により登録する場合と登録しない場合とに区分される。
【０１０４】
画像データを画像データ登録部１２９に登録する場合（ステップＳ５０３：ＹＥＳ）は、ステップＳ５０４へ移行する。画像データを画像データ登録部１２９へ登録しない場合（ステップＳ５０３：ＮＯ）は、ステップＳ５０７へ移行する。
【０１０５】
ステップＳ５０４：
画像形成装置１２０（画像データ登録部１２９）に画像データと閲覧用画像データを登録する。つまり、原画データ登録手段１２９ｍによって画像データを原画としての登録画像データＤＡＴｍとして画像データ登録部１２９に登録し（画像データ登録ステップ。原画データ登録ステップ）、閲覧画データ生成登録手段１２９ｓによって登録画像データＤＡＴｍのデータサイズを縮小して生成した画像データを閲覧用登録画像データＤＡＴｓとして画像データ登録部１２９に登録する（閲覧画データ生成登録ステップ）。なお、併せて画像データ識別情報ＩＮＦ１（画像ＩＤ）を登録しておく。
【０１０６】
情報処理装置１１０で文書ファイルを閲覧する場合、解像度や画像サイズの大きい画像データが存在すると、画像の表示やページの再描画に時間がかかる。したがって、情報処理装置１１０での文書ファイルの閲覧においては閲覧するために十分な画像サイズや解像度があればよい。つまり、登録画像データＤＡＴｍに対してデータサイズを縮小した閲覧用登録画像データＤＡＴｓが適用できるようにしてあればよい。
【０１０７】
ステップＳ５０５：
情報処理装置１１０で、画像形成装置１２０から登録画像データＤＡＴｍの画像データ識別情報ＩＮＦ１（画像ＩＤ）と閲覧用登録画像データＤＡＴｓを取得する。
【０１０８】
ステップＳ５０６：
情報処理装置１１０で、文書ファイルに含まれる登録画像データＤＡＴｍに対応する画像データを画像形成装置１２０から取得した閲覧用登録画像データＤＡＴｓに置き換える。
【０１０９】
ステップＳ５０７：
文書ファイルの終端か否かを判例する。文書ファイルの終端の場合（ステップＳ５０７：ＹＥＳ）は、全ての画像データに対して処理を完了していることから処理終了とする。文書ファイルの終端で無い場合（ステップＳ５０７：ＮＯ）は、ステップＳ５０１へ戻る。
【０１１０】
本実施の形態では、文書ファイルに含まれる画像データを予め登録画像データＤＡＴｍとして登録し、併せて閲覧用登録画像データＤＡＴｓを生成して登録してある。
【０１１１】
したがって、文書ファイル（画像データ）を他のユーザに配布して参照（利用）してもらう場合などに、文書ファイル内の画像データが登録画像データＤＡＴｍに対応する場合、配布を行なう文書ファイルに対して画像データを閲覧用登録画像データＤＡＴｓに置き換えること（ステップＳ５０６）によって、配布時の文書ファイルサイズを低減することができる。
【０１１２】
また、配布された文書ファイルを他の情報処理装置で文書複製（印刷）する場合には、画像データ登録部１２９に登録された登録画像データＤＡＴｍを使用することで、元の文書データ（原画）と同等の文書複製（画像形成）を行なうことが可能となる。
【０１１３】
つまり、本実施の形態は、情報処理装置１１０からネットワークＮＷに接続された他の情報処理装置へ文書ファイルが配布される場合に、閲覧用登録画像データＤＡＴｓを適用した画像データ（閲覧用登録画像データＤＡＴｓへ置換された画像データ）の文書ファイルへの保存が許容される構成としてある。
【０１１４】
したがって、画像形成装置１２０に登録された画像データを含む文書ファイルを他のユーザに配布する場合には、閲覧用登録画像データＤＡＴｓを適用して文書ファイルを保存することが可能となることから、文書ファイルのデータサイズを縮小することができる。また、文書ファイルを受け取ったユーザが文書複製を実行する場合には、画像形成装置１２０に登録された原画としての登録画像データＤＡＴｍを使用することが可能となることから、原画の登録画像データＤＡＴｍを使用した精細な文書複製を実行することができる。
【０１１５】
上述したとおり、本実施の形態に係るプリントシステムを用いたプリント方法では、特定画像複製条件情報ＩＮＦは、画像データを一意に識別する画像データ識別情報ＩＮＦ１と、情報処理装置１１０で画像データに対して行なった編集の内容を示す画像編集情報ＩＮＦ２と、文書ファイルでの画像データの配置を示す画像配置情報ＩＮＦ３と、画像複製される画像の属性を示す画像属性情報ＩＮＦ４とを含むことが望ましい。
【０１１６】
本発明に係るプリントシステムを用いたプリント方法では、情報処理装置１１０は、変換文書データＰＤＬｆを画像形成装置１２０に送信する前に、特定画像複製条件情報ＩＮＦを画像形成装置１２０に送信し、画像形成装置１２０は、変換文書データＰＤＬｆを情報処理装置１１０から受信する前に、受信した特定画像複製条件情報ＩＮＦに基づいて抽出した登録画像データＤＡＴｍのページ記述言語ＰＤＬへの変換を開始する構成としてあることが望ましい。
【０１１７】
本発明に係るプリントシステムを用いたプリント方法では、原画としての画像データを登録画像データＤＡＴｍとして登録する画像データ登録部１２９での原画データ登録ステップと、登録画像データＤＡＴｍのデータサイズを縮小した閲覧用登録画像データＤＡＴｓを生成して登録する画像データ登録部１２９での閲覧画データ生成登録ステップとを備えることが望ましい。
【０１１８】
本発明に係るプリントシステムを用いたプリント方法では、情報処理装置１１０からネットワークＮＷに接続された他の情報処理装置へ文書ファイルが配布される場合に、閲覧用登録画像データＤＡＴｓを適用した画像データの文書ファイルへの保存が許容される構成としてあることが望ましい。
【０１１９】
上述した本発明に係るプリントシステムを用いたプリント方法では、本発明に係るプリントシステムと同様な作用効果を実現することとなる。
【０１２０】
本実施の形態に係る文書複製をコンピュータに実行させるコンピュータプログラムでは、特定画像複製条件情報ＩＮＦは、画像データを一意に識別する画像データ識別情報ＩＮＦ１と、情報処理装置１１０で画像データに対して行なった編集の内容を示す画像編集情報ＩＮＦ２と、文書ファイルでの画像データの配置を示す画像配置情報ＩＮＦ３と、画像複製される画像の属性を示す画像属性情報ＩＮＦ４とを含むことが望ましい。
【０１２１】
本発明に係る文書複製をコンピュータに実行させるコンピュータプログラムでは、情報処理装置１１０は、変換文書データＰＤＬｆを画像形成装置１２０に送信する前に、特定画像複製条件情報ＩＮＦを画像形成装置１２０に送信し、画像形成装置１２０は、変換文書データＰＤＬｆを情報処理装置１１０から受信する前に、受信した特定画像複製条件情報ＩＮＦに基づいて抽出した登録画像データＤＡＴｍのページ記述言語ＰＤＬへの変換を開始する構成としてあることが望ましい。
【０１２２】
本発明に係る文書複製をコンピュータに実行させるコンピュータプログラムでは、コンピュータに、原画としての画像データを登録画像データＤＡＴｍとして登録する画像データ登録部１２９での原画データ登録ステップを実行させ、コンピュータに、登録画像データＤＡＴｍのデータサイズを縮小した閲覧用登録画像データＤＡＴｓを生成して登録する画像データ登録部１２９での閲覧画データ生成登録ステップを実行させることが望ましい。
【０１２３】
本発明に係る文書複製をコンピュータに実行させるコンピュータプログラムでは、情報処理装置１１０からネットワークＮＷに接続された他の情報処理装置へ文書ファイルが配布される場合に、コンピュータに、閲覧用登録画像データＤＡＴｓを適用した画像データの文書ファイルへの保存を許容させることが望ましい。
【０１２４】
上述した本発明に係るプリントシステムを用いた文書複製をコンピュータに実行させるコンピュータプログラムでは、本発明に係るプリントシステムと同様な作用効果を実現することとなる。
【図面の簡単な説明】
【０１２５】
【図１】本発明の実施の形態に係るプリントシステムの概略構成を示す構成ブロック図である。
【図２】本発明の実施の形態に係るプリントシステムで情報処理装置から画像形成装置へ送信される特定画像複製条件情報の構成例を示す情報構成図表である。
【図３】本発明の実施の形態に係るプリントシステムの情報処理装置での処理のフロー例を示すフローチャートである。
【図４】本発明の実施の形態に係るプリントシステムの画像形成装置での処理のフロー例を示すフローチャートである。
【図５】本発明の実施の形態に係るプリントシステムの画像形成装置に画像データを登録するときの処理のフロー例を示すフローチャートである。
【符号の説明】
【０１２６】
１１０  情報処理装置
１１１  アプリケーションプログラム
１１２  オペレーティングシステム
１１３  プリンタドライバ
１１３ｇ  特定画像複製条件情報生成手段
１１３ｆ  変換文書データ生成手段
１２０  画像形成装置
１２１  描画処理部
１２２  画像データ処理部
１２２ｓ  登録画像データ抽出手段
１２２ｔ  変換画像データ生成手段
１２３  ページバッファ
１２３ｃ  文書複製用合成データ生成手段
１２４  プリンタエンジン
１２９  画像データ登録部
１２９ｍ  原画データ登録手段
１２９ｓ  閲覧画データ生成登録手段
ＤＡＴ  画像データベース
ＤＡＴｍ  登録画像データ
ＤＡＴｓ  閲覧用登録画像データ
ＩＮＦ  特定画像複製条件情報
ＩＮＦ１  画像データ識別情報
ＩＮＦ２  画像編集情報
ＩＮＦ３  画像配置情報
ＩＮＦ４  画像属性情報
ＮＷ  ネットワーク
ＰＤＬ  ページ記述言語
ＰＤＬｃ  文書複製用合成データ
ＰＤＬｆ  変換文書データ
ＰＤＬｔ  変換画像データ
【図１】
2009116405.tif 000003
【図２】
2009116405.tif 000004
【図３】
2009116405.tif 000005
【図４】
2009116405.tif 000006
【図５】
2009116405.tif 000007